(57)【要約】  【構成】  貫通孔Ｐ１およびＰ２は、内側ケース１４ａおよび外側ケース１４ｂにそれぞれ設けられる。貫通孔Ｐ２は、貫通孔Ｐ１と連通する。内側ケース１４ａおよび外側ケース１４ｂは、ネジ４０および４２によって結合される。ネジ隠し用の化粧カバー２８は、貫通孔Ｐ１とネジ４０および４２を覆うべく、内側ケース１４ａに剥離可能に設けられる。  【効果】  化粧カバーを内側ケースから取り外すには“剥離”が必要となるため、ネジが容易に露出することはない。また、互いに連通する２つの貫通孔が化粧カバーの裏面に達するため、貫通孔にピンを挿入することで、外側ケースを傷付けることなく化粧カバーを剥離することができる。【選択図】  図３
2007274291.tif 000002
【特許請求の範囲】
【請求項１】
第１ケースに設けられる第１貫通孔、
前記第１貫通孔と連通して第２ケースに設けられる第２貫通孔、
前記第１ケースと前記第２ケースとを結合する結合手段、および
前記第１貫通孔と前記結合手段とを覆うべく前記第１ケースに剥離可能に設けられる第１化粧カバーを備える、電子機器のケース構造。
【請求項２】
前記結合手段はネジであり、前記第１化粧カバーは前記ネジの頭を覆う、請求項１記載の電子機器のケース構造。
【請求項３】
前記第２部材に取り外し可能に装着され、前記第２貫通孔を覆う第２化粧カバーをさらに備える、請求項１または２記載の電子機器のケース構造。
【請求項４】
前記第２化粧カバーはユーザによって交換可能なカバーである、請求項３記載の電子機器のケース構造。
【請求項５】
請求項１ないし４のいずれかに記載のケース構造を有する、電子機器。
【発明の詳細な説明】
【技術分野】
【０００１】
この発明は、電子機器のケース構造に関し、特にたとえば電子機器を形成する複数のケースをねじによって結合する、電子機器のケース構造に関する。
【背景技術】
【０００２】
従来のこの種のケース構造の一例が、特許文献１に開示されている。この従来技術によれば、ディスプレイユニットを形成する上カバーおよび下カバーは、全体にわたって爪によって係合される。ただし、ディスプレイの脚の部分では、上カバーおよび下カバーは、強度を考慮して、ネジによって互いに結合される。さらに、ユーザがこのネジを不必要に外してしまわないように、ネジ固定部がネジカバーによって覆われる。ネジカバーおよび上カバーもまた、爪によって係合される。
【特許文献１】特開平３−１３４７１８号公報［G06F 1/16］
【発明の開示】
【発明が解決しようとする課題】
【０００３】
しかし、従来技術では、ネジカバー（化粧板）および上カバーは、爪によって係合されるのみである。ユーザは、ネジカバーを容易に取り外すことができ、これによって露出したネジ（結合手段）を外すことでディスプレイを容易に分解することできる。
【０００４】
一方、ネジカバーを接着剤によって上カバーに固着すると、ユーザがディスプレイを分解することは容易ではないが、メーカが修理などのためにネジカバーを取り外すとき、強引な作業によって周辺部材を傷付ける可能性がある。
【０００５】
それゆえに、この発明の主たる目的は、結合手段が容易に露出する事態と、化粧板を取り外すときに周囲部材を傷付ける事態とを回避することができる、電子機器のケース構造を提供することである。
【課題を解決するための手段】
【０００６】
請求項１の発明に従う電子機器(10)のケース構造は、第１ケース(14a)に設けられる第１貫通孔(P1)、第１貫通孔と連通して第２ケース(14b)に設けられる第２貫通孔(P2)、第１ケースと第２ケースとを結合する結合手段(40, 42)、および第１貫通孔と結合手段とを覆うべく第１ケースに剥離可能に設けられる第１化粧カバー(28)を備える。
【０００７】
第１貫通孔および第２貫通孔は、第１ケースおよび第２ケースにそれぞれ設けられる。第２貫通孔は、第１貫通孔と連通する。第１ケースおよび第２ケースは、結合手段によって結合される。第１化粧カバーは、第１貫通孔と結合手段とを覆うべく第１ケースに剥離可能に設けられる。
【０００８】
第１化粧カバーを第１ケースから取り外すには“剥離”が必要となるため、結合手段が容易に露出することはない。また、互いに連通する第１貫通孔および第２貫通孔が第１化粧カバーの裏面に達するため、第１貫通孔および第２貫通孔を介して第１化粧カバーを裏面から押圧することで、第１ケースを傷付けることなく第１化粧カバーを剥離することができる。
【０００９】
請求項２の発明に従う電子機器のケース構造は、請求項１に従属し、結合手段はネジであり、第１化粧カバーはネジの頭を覆う。ネジの頭は第１化粧カバーの剥離によって露出し、これによって第１ケースおよび第２ケースを分解することができる。
【００１０】
請求項３の発明に従う電子機器のケース構造は、請求項１または２に従属し、第２ケースに取り外し可能に装着され、第２貫通孔を覆う第２化粧カバー(34)をさらに備える。これによって、第２化粧カバーを取り外さない限り、第２貫通孔が露出することはない。この結果、結合手段を露出させるためには、２段階の作業（第２化粧カバーの取り外しと第１化粧カバーの剥離）が要求されることとなる。
【００１１】
請求項４の発明に従う電子機器のケース構造は、請求項３に従属し、第２化粧カバーはユーザによって交換可能である。ユーザは、電子機器の美感を自由に変更することができる。
【００１２】
請求項５の発明に従う電子機器は、請求項１ないし４のいずれかに記載のケース構造を有する、電子機器である。
【発明の効果】
【００１３】
この発明によれば、結合手段は第１化粧カバーを剥離しない限り露出しないため、結合手段が容易に露出することはない。また、互いに連通する第１貫通孔および第２貫通孔が第１化粧カバーの裏面に達するため、第１貫通孔および第２貫通項を介して第１化粧カバーを裏面から押圧することで、第１ケースを傷付けることなく第１化粧カバーを剥離することができる。
【００１４】
この発明の上述の目的，その他の目的，特徴および利点は、図面を参照して行う以下の実施例の詳細な説明から一層明らかとなろう。
【発明を実施するための最良の形態】
【００１５】
図１（Ａ）および図１（Ｂ）を参照して、この実施例のカメラ付き携帯電話機１０は、折りたたみ型であり、ほぼ同等の大きさの略薄箱状に形成された下側筐体１２および上側筐体１４を含む。下側筐体１２および上側筐体１４は、相対する一方側面を軸として回動できるように、ヒンジ１６によって結合される。下側筐体１２および上側筐体１４は、未使用時において互いに重ね合わされる一方、使用時において展開される。
【００１６】
下側筐体１２は、折りたたみ状態において上側筐体１４と対向する一方主面を、操作面１２ａとして有する。操作面１２ａには、ダイヤル操作や撮影操作を行うための操作キー１８と、通話用のマイクロフォン（図示せず）に通じる開口２０とが設けられる。下側筐体１２はまた、操作面１２ａと対向する他方主面を背面１２ｂとして有する。この背面１２ｂのヒンジ１６近傍には、伸縮自在なロッドアンテナ２２を収納するアンテナ部２４が設けられる。
【００１７】
上側筐体１４は、折りたたみ状態において下側筐体１２と対向する一方主面をメイン表示面１４ａとして有し、メイン表示面１４ａと対向する他方主面をサブ表示面１４ｂとして有する。メイン表示面１４ａには、ダイヤル操作に必要な情報やカメラ機能によって撮影された画像を表示するためのメインＬＣＤ２６と、化粧カバー２８とが設けられる。化粧カバー２８は、通話用のスピーカ４６（図３参照）に通じる開口２８ａを有する。
【００１８】
サブ表示面１４ｂには、発信者の電話番号などを表示するためのサブＬＣＤ３０と、着信通知用のスピーカ４８（図２参照）に通じる開口３２と、ユーザによる着せ替え（交換）を想定した化粧カバー３４と、被写界を捉える撮像素子３６と、被写界に向けて発光するＬＥＤ３８とが設けられる。
【００１９】
図２および図３を参照して、上側筐体１４は、内側ケース１４ａおよび外側ケース１４ｂを有する。通話用のスピーカ４４は内側ケース１４ａに実装され、着信通知用のスピーカ４６は外側ケース１４ｂに実装される。メインＬＣＤ２６，サブＬＣＤ３０，撮像素子３６およびＬＥＤ３８は、内側ケース１４ａおよび外側ケース１４ｂによって保護された基板４４に実装される。
【００２０】
内側ケース１４ａの化粧カバー２８によって覆われる位置には、貫通孔Ｈ１，Ｈ２およびＰ１が設けられる。貫通孔Ｈ１およびＨ２は、内側ケース１４ａの幅方向両端に形成され、貫通孔Ｐ１は貫通孔Ｈ２の近傍に形成される。外側ケース１４ｂの貫通孔Ｈ１，Ｈ２およびＰ１に対応する位置には、非貫通孔Ｈ３，Ｈ４および貫通孔Ｐ２がそれぞれ設けられる。つまり、貫通孔Ｈ１は非貫通孔Ｈ３と連通し、貫通孔Ｈ２は非貫通孔Ｈ４と連通し、そして貫通孔Ｐ１は貫通孔Ｐ２と連通する。
【００２１】
ネジ４０は、螺旋状の山が形成されたネジ軸４０ｓを有する。ネジ４２もまた、螺旋状の山が形成されたネジ軸４２ｓを有する。一方、非貫通孔Ｈ３およびＨ４の各々は、螺旋状の溝を有する。
【００２２】
ネジ４０は、内側ケース１４ａから外側ケース１４ｂに向けて貫通孔Ｈ１に差し込まれ、非貫通孔Ｈ３に達する。ネジ４２は、内側ケース１４ａから外側ケース１４ｂに向けて貫通孔Ｈ２に差し込まれ、非貫通孔Ｈ４に達する。ネジ軸４０ｓは、ネジ頭４０ｈを軸に対して時計回り方向に回転させることで、非貫通孔Ｈ３と螺合される。ネジ軸４２ｓも、ネジ頭４２ｈを軸に対して時計回り方向に回転させることで、非貫通孔Ｈ４と螺合される。内側ケース１４ａは、こうして外側ケース１４ｂに結合される。
【００２３】
化粧カバー２８は、両面テープ５０によって内側ケース１４ａに貼着される。一方、化粧カバー３４は、ユーザによる着脱が可能なように、化粧カバー３４に形成された複数の爪５２ａ〜５２ｄと外側ケース１４ｂに形成された凹部５４ａ〜５４ｄとによって、外側ケース１４ｂに係合される。
【００２４】
外側ケース１４ｂに形成された貫通孔Ｐ２は、化粧カバー３４によって覆われる。換言すれば、化粧カバー３４を取り外せば、貫通孔Ｐ２が露出する。この貫通孔Ｐ２にピン（図示せず）を挿入すると、ピンの先端は貫通孔Ｐ１を経て化粧カバー２８の裏面に達する。化粧カバー２８をピンによって強く突くと、このときの押圧力が両面テープ５０の粘着力を上回ったときに、化粧カバー２８が内側ケース１４ａから剥離される。ネジ頭４０ｈおよび４２ｈは、化粧カバー２８の剥離によって露出する。
【００２５】
以上の説明から分かるように、貫通孔Ｐ１およびＰ２は、内側ケース１４ａおよび外側ケース１４ｂにそれぞれ設けられる。貫通孔Ｐ２は、貫通孔Ｐ１と連通する。内側ケース１４ａおよび外側ケース１４ｂは、ネジ４０および４２によって結合される。化粧カバー２８は、貫通孔Ｐ１とネジ４０および４２を覆うべく、内側ケース１４ａに剥離可能に設けられる。
【００２６】
化粧カバー２８を内側ケース１４ａから取り外すには“剥離”が必要となるため、ネジ４０および４２が容易に露出することはない。また、互いに連通する貫通孔Ｐ１およびＰ２が化粧カバー２８の裏面に達するため、貫通孔Ｐ１およびＰ２を介して化粧カバー２８を裏面から押圧することで、外側ケース１４ａを傷付けることなく化粧カバー２８を剥離することができる。
【００２７】
なお、この実施例では、携帯電話機を用いて説明したが、この発明は他の電子機器にも適用できる。また、この実施例では、ネジを隠すための化粧カバーを両面テープで内側ケースに貼着するようにしているが、剥離できる限り、両面テープ以外の接着剤を用いるようにしてもよい。
【図面の簡単な説明】
【００２８】
【図１】（Ａ）はこの発明の一実施例の外観を示す正面図であり、（Ｂ）はこの発明の一実施例の外観を示す背面図である。
【図２】分解された上側筐体をある視点から眺めた状態を示す斜視図である。
【図３】分解された上側筐体を別の視点から眺めた状態を示す斜視図である。
【符号の説明】
【００２９】
１０  …カメラ付携帯電話機  
１２  …下側筐体
１４  …上側筐体
１６  …ヒンジ
２８，３４  …化粧カバー
４０，４２  …ネジ
Ｐ１，Ｐ２  …貫通孔
【図１】
2007274291.tif 000003
【図２】
2007274291.tif 000004
【図３】
2007274291.tif 000005